(57)【要約】【課題】環境に影響を与えるガス状物質に含まれる空気を効率良く浄化するとともに、それに含まれる油水を分離回収することができるようにした油水分離機構付き湿式ガス状物質処理装置及び湿式ガス状物質処理方法を提供する。【解決手段】処理室と、ガス状物質吸入口と、ガス状物質排出口と、貯水槽と、垂設仕切板と、波状多孔質奔流発生板と、少なくとも一つの多孔質邪魔板と、傾斜規制板と、を有し、前記処理室内に吸入されたガス状物質が前記貯水槽の水と接触することによって浄化されるようにした、湿式ガス状物質処理機構と、前記処理室の壁面に設けられ、前記奔流によって生じた、油分を含有する浮上油成分が通り抜けるための油分通路と、前記油分通路から通り抜けた前記油分含有泡から油分と水分とを分離回収するための油水分離回収機構と、を含む、湿式ガス状物質処理装置とした。【選択図】図１
2020075214.tif 000002
【特許請求の範囲】
【請求項１】
処理室と、
前記処理室に形成され前記処理室内にガス状物質を吸入させるためのガス状物質吸入口と、
前記処理室に形成され前記処理室内に吸入されたガス状物質を前記処理室外に排出させるガス状物質排出口と、
前記処理室内に設けられた貯水槽と、
前記ガス状物質吸入口から吸入されるガス状物質と前記ガス状物質排出口から排出されるガス状物質とを前記処理室内で仕切るように、前記貯水槽の静止水面の上方に垂設せしめられてなる垂設仕切板と、
前記ガス状物質排出口側の前記貯水槽の静止水面と平行して、前記貯水槽の静止水面の上方に設置され、前記貯水槽の水面に奔流を発生せしめるための波状多孔質奔流発生板と、
前記波状多孔質奔流発生板の上方に設置され、前記奔流により生じる飛沫を受けるための少なくとも一つの多孔質邪魔板と、
前記垂設仕切板に、下端に行くに従って前記垂設仕切板から離間するように傾斜して設けられ、且つ前記垂設仕切板よりも下方に延出せしめられた傾斜規制板と、
を有し、前記処理室内に吸入されたガス状物質が前記貯水槽の水と接触することによって浄化されるようにした、湿式ガス状物質処理機構と、
前記処理室の壁面に設けられ、前記奔流によって生じた、油分を含有する浮上油成分が通り抜けるための油分通路と、
前記油分通路から通り抜けた前記油分含有泡から油分と水分とを分離回収するための油水分離回収機構と、
を含む、
湿式ガス状物質処理装置。
【請求項２】
前記油水分離回収機構が、油水回収機構と、前記油水回収機構に回収された油水を、油分と水分とに分離させる油水分離機構とを含む、請求項１記載の湿式ガス状物質処理装置。
【請求項３】
前記油水回収機構が、前記油水回収機構に回収された油水を前記油水分離機構に送るための送出パイプを有し、
前記油水分離機構が、貯水部を有する油水分離槽を有し、
前記送出パイプの先端が、前記油水分離槽の水中に沈められてなり、前記送出パイプから送り出された油水のうち、油分が前記油水分離槽の水面に浮くようにされてなる、請求項２記載の湿式ガス状物質処理装置。
【請求項４】
前記送出パイプの胴部が送出パイプ屈曲部を有し、前記送出パイプ屈曲部が逆流を防ぐ封水トラップとされてなる、請求項３記載の湿式ガス状物質処理装置。
【請求項５】
前記貯水槽に所定の水面高さを超える水が排水されるオーバーフロー管が設けられ、前記オーバーフロー管がオーバーフロー管屈曲部を有し、前記オーバーフロー管屈曲部が、逆流を防ぐ封水トラップとされてなる、請求項１〜３いずれか１項記載の湿式ガス状物質処理装置。
【請求項６】
請求項１〜５いずれか１項記載の湿式ガス状物質処理装置を用いて、前記ガス状物質を浄化し、前記浮上油成分から油分と水分とを分離回収するようにした、湿式ガス状物質処理方法。
【請求項７】
前記ガス状物質が浄化された後の前記貯水槽からの排水及び前記油水分離回収機構によって分離された水分の排水を加熱することにより、前記排水中の界面活性剤を熱分解せしめてなる、請求項６記載の湿式ガス状物質処理方法。
【発明の詳細な説明】
【技術分野】
【０００１】
本発明は、飲食店を含む店舗、製造工場や化学工場、プラントなどから排出される排ガス、灯油や重油等の燃焼から発生するカーボン系超微粒子及び塗料粉塵などの微細粉塵、黒煙などの環境に影響を与えるガス状物質や悪臭などのガス状物質に含まれる空気を効率良く浄化するとともに、それに含まれる油水を分離回収することができるようにした油水分離機構付き湿式ガス状物質処理装置及び湿式ガス状物質処理方法に関する。
【背景技術】
【０００２】
従来、水を使った湿式の排ガス処理装置として、スクラバー装置が知られている。従来のスクラバー装置としては、水や脱臭剤液を排ガスに噴霧するタイプの装置や、排ガスと水を吸上げて滝のように逆流させ排ガスを水に当てて通過させるタイプの装置や、噴霧ノズルにより噴霧水層を作り、排ガスを噴霧水層とフィルター層とに交互に通すタイプの装置などがある。また、ロックウール、不織布、金網等に水を散布させながら、排ガスを通過させて粉塵や水溶性気体を水中に取り込む方式なども採用されているが、排ガス中に霧状の水分が排出されていて環境上の点からも好ましくないものであった。
【０００３】
上記のような従来の装置では、装置が複雑となるため故障し易いという問題などがあった。また、フィルターを使うタイプの装置ではフィルターを交換する必要があるし、また、上記のような従来の水を使う装置では、スプレーや送水ポンプなどの個々の装置が必要となり、メンテナンスにも手間がかかるという問題があった。また、上記のような従来の水を使う装置では、水を大量に使用する必要があった。そこで、本願出願人は、特許文献１に示す湿式ガス状物質処理装置を提案し、好評を得ている。
【０００４】
特許文献１に示す湿式ガス状物質処理装置においては、処理室内の貯水槽の水面に奔流を発生せしめ、前記処理室内に吸入されたガス状物質が前記貯水槽の水と接触することによって浄化される。しかしながら、特許文献１に示す湿式ガス状物質処理装置においては、ガス状物質に含まれる空気を効率良く浄化するはできるものの、それに含まれる油水を分離回収することはできなかった。
【０００５】
飲食店を含む店舗、製造工場や化学工場、プラントなどから排出される排ガスには、油分を含むものも多く、前記貯水槽の水や前記貯水槽の壁面を汚す原因となっていた。
【先行技術文献】
【特許文献】
【０００６】
【特許文献１】特開２０１７−１０４８４３
【特許文献２】特許第５３８４５６３号公報
【特許文献３】特許第５３８４５６４号公報
【特許文献４】特許第５６８５１５２号公報
【発明の開示】
【発明が解決しようとする課題】
【０００７】
本発明は、上記した従来技術の問題に鑑みなされたもので、環境に影響を与えるガス状物質に含まれる空気を効率良く浄化するとともに、それに含まれる油水を分離回収することができるようにした油水分離機構付き湿式ガス状物質処理装置及び湿式ガス状物質処理方法を提供することを目的とする。
【課題を解決するための手段】
【０００８】
上記課題を解決するため、本発明の湿式ガス状物質処理装置は、処理室と、前記処理室に形成され前記処理室内にガス状物質を吸入させるためのガス状物質吸入口と、前記処理室に形成され前記処理室内に吸入されたガス状物質を前記処理室外に排出させるガス状物質排出口と、前記処理室内に設けられた貯水槽と、前記ガス状物質吸入口から吸入されるガス状物質と前記ガス状物質排出口から排出されるガス状物質とを前記処理室内で仕切るように、前記貯水槽の静止水面の上方に垂設せしめられてなる垂設仕切板と、前記ガス状物質排出口側の前記貯水槽の静止水面と平行して、前記貯水槽の静止水面の上方に設置され、前記貯水槽の水面に奔流を発生せしめるための波状多孔質奔流発生板と、前記波状多孔質奔流発生板の上方に設置され、前記奔流により生じる飛沫を受けるための少なくとも一つの多孔質邪魔板と、前記垂設仕切板に、下端に行くに従って前記垂設仕切板から離間するように傾斜して設けられ、且つ前記垂設仕切板よりも下方に延出せしめられた傾斜規制板と、を有し、前記処理室内に吸入されたガス状物質が前記貯水槽の水と接触することによって浄化されるようにした、湿式ガス状物質処理機構と、前記処理室の壁面に設けられ、前記奔流によって生じた、油分を含有する浮上油成分が通り抜けるための油分通路が通り抜けるための油分通路と、前記油分通路から通り抜けた前記油分含有泡から油分と水分とを分離回収するための油水分離回収機構とを含む、湿式ガス状物質処理装置である。
【０００９】
前記油水分離回収機構が、油水回収機構と、前記油水回収機構に回収された油水を、油分と水分とに分離させる油水分離機構とを含むのが好適である。
【００１０】
前記油水回収機構が、前記油水回収機構に回収された油水を前記油水分離機構に送るための送出パイプを有し、前記油水分離機構が、貯水部を有する油水分離槽を有し、前記送出パイプの先端が、前記油水分離槽の水中に沈められてなり、前記送出パイプから送り出された油水のうち、油分が前記油水分離槽の水面に浮くようにされてなるのが好適である。
【００１１】
前記送出パイプの胴部が送出パイプ屈曲部を有し、前記送出パイプ屈曲部が逆流を防ぐ封水トラップとされてなるのが好適である。
【００１２】
前記貯水槽に所定の水面高さを超える水が排水されるオーバーフロー管が設けられ、前記オーバーフロー管がオーバーフロー管屈曲部を有し、前記オーバーフロー管屈曲部が、逆流を防ぐ封水トラップとされてなるのが好適である。
【００１３】
本発明の湿式ガス状物質処理方法は、前記湿式ガス状物質処理装置を用いて、前記ガス状物質を浄化し、前記油分含有泡から油分と水分とを分離回収するようにした、湿式ガス状物質処理方法である。
【００１４】
また、前記ガス状物質が浄化された後の前記貯水槽からの排水及び前記油水分離回収機構によって分離された水分の排水を加熱することにより、前記排水中の界面活性剤を熱分解せしめるようにするのが好適である。
【００１５】
本明細書において、ガス状物質には、排ガス、塗料粉塵、黒煙、有毒ガスなどの環境に影響を与えるガス状物質や悪臭などが含まれ、灯油、重油等の燃焼から発生するカーボン系超微粒子及び塗装などの微細粉塵のほか、切削液などを含んだガス状物質なども含まれる。
【発明の効果】
【００１６】
本発明によれば、環境に影響を与えるガス状物質に含まれる空気を効率良く浄化するとともに、それに含まれる油水を分離回収することができるようにした油水分離機構付き湿式ガス状物質処理装置及び湿式ガス状物質処理方法を提供することができるという著大な効果を奏する。
【図面の簡単な説明】
【００１７】
【図１】本発明に係る湿式ガス状物質処理装置の一つの実施の形態を示す一部透視正面図である。
【図２】図１の湿式ガス状物質処理装置の一部透視側面図である。
【図３】図１の湿式ガス状物質処理装置の斜視図である。
【図４】図１の湿式ガス状物質処理装置を別の方向からみた斜視図である。
【図５】油水分離回収機構の一つの実施の形態を示す一部透視正面図である。
【図６】図１の湿式ガス状物質処理装置の模式的説明図である。
【図７】図６の要部拡大模式的説明図である。
【発明を実施するための形態】
【００１８】
以下、本発明の実施形態を添付図面を参照しながら説明する。図１〜図７に本発明に係る湿式ガス状物質処理装置の一つの実施の形態を示す。
【００１９】
図１〜図４において、符号１０は本発明の湿式ガス状物質処理装置である。
【００２０】
湿式ガス状物質処理装置１０は、処理室１２と、前記処理室１２に形成され前記処理室１２内にガス状物質Ｇを吸入させるためのガス状物質吸入口１４と、前記処理室１２内に吸入されたガス状物質Ｇを、前記処理室１２外に排出させるガス状物質排出口１６と、前記処理室１２内に設けられた貯水槽１８と、前記ガス状物質吸入口１４から吸入されるガス状物質Ｇと前記ガス状物質排出口１６から排出されるガス状物質Ｇとを前記処理室１２内で仕切るように、前記貯水槽１８の静止水面の上方に垂設せしめられてなる垂設仕切板２０と、前記ガス状物質排出口１６側の前記貯水槽１８の静止水面と平行して、前記貯水槽１８の静止水面の上方に設置され、前記貯水槽１８の水面に奔流を発生せしめるための波状多孔質奔流発生板２２と、前記波状多孔質奔流発生板２２の上方に設置され、前記奔流により生じる飛沫を受けるための少なくとも一つの多孔質邪魔板２４ａ，２４ｂ，２４ｃと、前記垂設仕切板２０に、下端に行くに従って前記垂設仕切板２０から離間するように傾斜して設けられ、且つ前記垂設仕切板２０よりも下方に延出せしめられた傾斜規制板２６と、を有し、前記処理室１２内に吸入されたガス状物質が前記貯水槽１８の水と接触することによって浄化されるようにした、湿式ガス状物質処理機構２８と、前記処理室１２の壁面３０に設けられ、前記奔流によって生じた、油分を含有する浮上油成分が通り抜けるための油分通路３２と、前記油分通路３２から通り抜けた前記油分含有泡から油分と水分とを分離回収するための油水分離回収機構３６と、を含む、湿式ガス状物質処理装置である。
【００２１】
このように、湿式ガス状物質処理装置１０は、湿式ガス状物質処理機構２８と、油水分離回収機構３６と、とから構成されている。垂設仕切板２０は、前記ガス状物質吸入口１４から吸入されるガス状物質Ｇと前記ガス状物質排出口１６から排出されるガス状物質Ｇとを前記処理室１２内で仕切るように、前記貯水槽１８の静止水面の上方に垂設されているが、前記貯水槽１８の静止水面の上方に設けられているだけなので、処理室１２内部を完全に仕切っているわけではない。
【００２２】
また、多孔質邪魔板は少なくとも一つ設ければよいが、複数枚設けるのが好適である。前記多孔質邪魔板は、多孔質邪魔板２４ａ，２４ｂ，２４ｃとして、３枚設けた例を示した。多孔質邪魔板２４ａ，２４ｂは等間隔で設置してあり、その上方には防水フィルターとして不織布を備えた多孔質邪魔板２４ｃが設置されている。このような、防水フィルターを備えた多孔質邪魔板を少なくとも一つ設けると、吸引能力を低下させることなく、水を遮ることができる。特に、防水フィルターを備えた多孔質邪魔板を４５°の角度で設置すると、通気性は低下させることなく、水を遮ることができる。
【００２３】
また、前記多孔質邪魔板２４ａ，２４ｂ，２４ｃは、図１によく示される如く、前記貯水槽１８の静止水面に対して傾斜して設けられている。例えば、貯水槽１８の水面と前記多孔質邪魔板２４ａ，２４ｂ，２４ｃとの間の角度は、４５°〜２５°が好ましく、４５°が最も好ましい。また、図示例では、波状多孔質奔流発生板２２及び多孔質邪魔板２４ａ，２４ｂ，２４ｃは、パンチングメタルで作製した例を示した。波状多孔質奔流発生板２２は、波状とされており、多数の孔が開穿されている。図示例では波状多孔質奔流発生板２２は、ＳＵＳ製のパンチングメタルを使用した例を示した。例えば、孔の直径が３ｍｍ〜５ｍｍ程度、開口率が５０％〜６０％程度、波高が１０ｍｍ〜２０ｍｍ程度のパンチングメタルが好適に使用できる。但し、波状多孔質奔流発生板２２は、処理する風量、集塵されるゴミ種類や大きさなどによって、孔の直径を変えたり、波高或いは、折数（波の周期数）を変化させる。
【００２４】
図示例では、静止水面の水位は、図１に示すようにＴ１の位置である。
【００２５】
また、傾斜規制板２６は、前記垂設仕切板２０に対して傾斜して設けられているが、１５°〜４０°傾斜して設けるのが好適である。図示例では、図１及び図７に示すように傾斜規制板２６の傾斜角度θは３０°とされている。また、傾斜規制板２６は垂設仕切板２０に支持プレート３４によっても支持されている。
【００２６】
符号３８は、吸引口４０が付いた電動送風機であり、電源ボックスのモータ４２によって駆動せしめられる。電動送風機３８の設置位置は、吸入されたガス状物質Ｇが貯水槽１８を通った後の位置に設けた例を示したが、吸入されたガス状物質Ｇが貯水槽１８を通る前の位置に設けるようにしてもよい。電動送風機３８の設置位置は、吸入されたガス状物質Ｇが貯水槽１８を通った後の位置に設けると、電動送風機３８が汚れないという利点がある。また、処理室１２の上部には、脱臭装置４４が設けられている。脱臭装置４４は、第一脱臭装置４６と第二脱臭装置４８とから構成されている。
【００２７】
第一脱臭装置４６は、図示した例では２つの加熱用シーズヒータが平面視波状に設けられており、その周りには粒状の多孔質発熱体が室内に詰まるように配置されている。前記加熱用シーズヒータに通電すると、前記多孔質発熱体が発熱し、加熱する。前記多孔質発熱体は、例えば、通電による抵抗発熱性を有する多孔質発熱体であり、酸化金属を含み、パラジウム触媒を担持してなる。そのため高温になった多孔質発熱体は、触媒による酸化燃焼効果を発揮してガス状物質Ｇ中に含まれるタンパク質、アミノ酸などの有機成分を炭酸ガスと水とに分解して、滅菌と同時に脱臭する。
【００２８】
かかる通電による抵抗発熱性を有する多孔質発熱体としては、例えば特許文献２〜４に記載された多孔質焼結体などの多孔質発熱体を使用できる。例えば特許文献２〜４に記載された多孔質焼結体などの多孔質発熱体は、金属（アルミニウム、鉄、金属シリコン）と粘土、黒鉛、木粉を合成糊バインダーで練り上げて押出し成形し、乾燥後に１１００℃で焼結させることで得ることができる。また、かかる多孔質発熱体に電極を付けて通電する構成とすることができ、電極を付けて通電すると６５０℃まで発熱する。符号５０は、過熱防止用サーモスタットである。
【００２９】
第一脱臭装置４６では、ガス状物質Ｇに含まれる通常の悪臭を除去することができる。また、加熱により脱臭効果が増大する。さらに、多孔質発熱体は繰返して使用できるので、半永久的に使用が可能である。
【００３０】
第二脱臭装置４８は、図示した例では活性炭層を内部に設けた。第二脱臭装置４８では、揮発性の高い臭気が除去される。
【００３１】
貯水槽１８には、自動で給水を行う自動給水弁５２と、貯水槽１８内の水を排水する排水弁５４が設けられている。
【００３２】
前記貯水槽１８には所定の水面高さを超えた場合に溢れ出る水が排水されるためのオーバーフロー管８６が設けられている。前記オーバーフロー管８６にはオーバーフロー管屈曲部８８が形成されており、前記オーバーフロー管屈曲部８８は、波状多孔質奔流発生板２２によって奔流が発生した場合に、油分などの逆流を防ぐ封水トラップとなっている。オーバーフロー管屈曲部８８の形状としては、例えば、Ｓ字クランク形状などのクランク形状などが好適である。
【００３３】
ガス状物質Ｇには、油分が含まれていることが多いが、前記波状多孔質奔流発生板２２によって奔流が生じると、油分が水面に浮上してくる。これを、本明細書では、奔流によって生じた、油分を含有する浮上油成分と呼んでいる。
【００３４】
前記処理室１２の壁面３０には前記奔流によって生じた、油分を含有する浮上油成分が通り抜けるための油分通路３２が、設けられている。油分通路３２は、図示例ではスリットとした例を示した。即ち、処理室１２の壁面３０には、前記貯水槽１８の静止水面よりも上方であり、且つ波状多孔質奔流発生板２２の下方に、奔流によって生じた、油分を含有する浮上油成分が通り抜けるための油分通路３２として、スリットが設けられている（図１〜図２，図６）。図示例ではスリットの例を示したが、浮上油成分が通り抜けることができれば良いものであるから、孔や網などでもよい。
【００３５】
湿式ガス状物質処理機構２８に併設された油水分離回収機構３６は、図５によく示される如く、油水回収機構５６と、前記油水回収機構５６に回収された油水ＯＷを、油分Ｏと水分Ｗとに分離させる油水分離機構５８とを含む構成とされている。
【００３６】
油水回収機構５６は、上記した油分を含有する浮上油成分と水とが混ざったまま流れ込む回収槽５７を備えている。前記油水回収機構５６は、前記油水回収機構５６に回収された油水ＯＷを前記油水分離機構５８に送るための送出パイプ６０を有しており、前記油水分離機構５８が貯水部６２を有する油水分離槽６４を有している。貯水部６２には、予め水が貯められている。
【００３７】
前記送出パイプ６０の先端は、前記貯水部６２の水中に沈められてなり、前記送出パイプ６０から送り出された油水ＯＷのうち、油分Ｏが前記油水分離槽６４の貯水部６２の水面に浮くように構成されている。
【００３８】
前記送出パイプ６０の胴部は送出パイプ屈曲部６６を有しており、前記送出パイプ屈曲部６６は、常に貯水部６２の水が先端に入っているので、逆流を防ぐ封水トラップとなっている。
【００３９】
また、油水分離槽６４の貯水部６２の側壁６８ａ，６８ｂは、図５に示すように、高さが異なり、高低差のある側壁となっている。そして、貯水部６２の中央には、貯水部６２の上部を仕切る上部仕切壁７０が形成されている。
【００４０】
低い方の側壁６８ａの高さは、貯水部６２の水面の高さと一致する。一方、高い方の側壁６８ｂは、貯水部６２の水面の高さよりも高くなっているため、貯水部６２の水面上に油分Ｏが浮く余地、即ち油浮上ゾーン９４が形成されている。そして、上部仕切壁７０があるので、貯水部６２には、分離水分７２と、その上に浮いている分離油分７４とが形成されることとなる。
【００４１】
そしてこの貯水部６２の分離水分７２と分離油分７４はそれぞれ、側壁６８ａ，６８ｂの高さを超えて溢れると、分離水分貯留部７６と分離油分貯留部７８とに、水分Ｗと油分Ｏとして貯留される。さらに、分離水分貯留部７６と分離油分貯留部７８とから溢れた水分Ｗと油分Ｏは、それぞれ水分出口８０と油分出口８２とから排出される。
【００４２】
なお、前記油水回収機構５６は、把手の付いた蓋体８４を有しており、蓋体８４を開けて内部のメンテナンスが可能となっている。
【００４３】
なお、湿式ガス状物質処理装置１０の下部には、キャスター９０が取り付けられており、移動可能とされている。
【００４４】
次に、このように構成された湿式ガス状物質処理装置１０の作用を特に図５〜図７に基づいて説明する。
【００４５】
湿式ガス状物質処理装置１０の電源ボックスの電源を入れるとモータ４２が稼働する。すると、電動送風機３８の風圧によって、図６及び図７に示すように、処理室１２内の貯水槽１８のガス状物質吸入口１４側の水位はＴ２の位置まで下降する一方、ガス状物質排出口１６側の水位は、Ｔ３の位置まで上昇する。そして、波状多孔質奔流発生板２２の孔にぶつかり、抜けようとして激しく奔流となる。この際に、気泡や飛沫も生じる。このように、吸気した汚れた空気を含むガス状物質の全てが水流に接触するようにされている。
【００４６】
発生した奔流により、飛沫が生じるが飛沫の水滴９２は、水面の上方に設置された多孔質邪魔板２４ａ，２４ｂ，２４ｃに当たって跳ね返され、貯水槽１８へと戻される。
【００４７】
このようにして、ガス状物質Ｇは、貯水槽１８の水Ｗと接触することによって浄化される。外から吸引した空気に含まれる油煙・粉塵・悪臭等は、水Ｗに触れてトラップされて貯水槽１８に落ちる。水より重い粉塵等は貯水槽１８の水中に沈殿する。なお、貯水槽１８は図示例では、沈殿物が一端に集まりやすいように、底が傾斜して設けられている。
【００４８】
波状多孔質奔流発生板２２によって奔流が生じて、水滴９２がランダムに巻き上がり、貯水槽１８の水Ｗに触れて最初は取り切れなかった油煙・粉塵・悪臭等も、水Ｗに触れてトラップされて貯水槽１８に落ちる。
【００４９】
また、奔流によって、油分を含有する油成分が泡となって軽くなり、水面に浮き上がってくる。この浮上油成分は、油分通路３２を通って油水分離回収機構３６に流れ込む。油分通路３２は図示例ではスリットである。
【００５０】
浮上油成分は、水も含んでおり、油水ＯＷとなって前記油水回収機構５６に回収される。上記した油分を含有する浮上油成分と水とが混ざったまま、油水ＯＷは回収槽５７に流れ込む。そして、油水ＯＷは送出パイプ６０を通って、前記油水分離機構５８の油水分離槽６４の貯水部６２に送られる。
【００５１】
貯水部６２には、予め水が貯められており、側壁６８ａ，６８ｂの高さの違いと上部仕切壁７０によって貯水部６２の水面上に油分Ｏが浮くように、油浮上ゾーン９４が形成されているので、油水ＯＷは、その比重差によって、分離水分７２と、その上に浮いている分離油分７４とに分離される。
【００５２】
このようにして分離された、分離水分７２と分離油分７４はそれぞれ、側壁６８ａ，６８ｂの高さを超えて溢れると、分離水分貯留部７６と分離油分貯留部７８とに、水分Ｗと油分Ｏとして貯留される。そして、分離水分貯留部７６と分離油分貯留部７８とから溢れた水分Ｗと油分Ｏは、それぞれ水分出口８０と油分出口８２とから排出される。
【００５３】
湿式ガス状物質処理装置１０は、脱臭装置４４を備えているので、処理室１２を通っても、取り切れなかった悪臭は、第一脱臭装置４６及び第二脱臭装置４８を通ることで、分解・吸着処理される。そして、脱臭装置４４を通って浄化されたガス状物質はガス状物質排出口１６から排出される。
【００５４】
本発明の湿式ガス状物質処理方法は、湿式ガス状物質処理装置１０を用いて、ガス状物質Ｇを浄化し、前記浮上油成分から油分と水分とを分離回収することで実施される。
【００５５】
また、前記ガス状物質Ｇが浄化された後の前記貯水槽１８からの排水及び前記油水分離回収機構５６によって分離された水分Ｗの水分出口８０からの排水には、界面活性剤が含まれていることがある。このため、本発明の湿式ガス状物質処理方法では、これらの排水を加熱して、前記排水中の界面活性剤を熱分解する工程をさらに実施するのが好適である。従って、排水に機械加工の際に用いられる切削液の成分などや種々の洗剤成分が含まれていても、浄化することが可能である。
【００５６】
このようにして、本発明の湿式ガス状物質処理装置及び湿式ガス状物質処理方法によれば、環境に影響を与えるガス状物質に含まれる空気を効率良く浄化するとともに、それに含まれる油水を分離回収することができる。
【００５７】
飲食店などの店舗の厨房に設置する場合には、本発明の湿式ガス状物質処理装置のサイズを小さくしたものを用いるようにし、製造工場や化学工場、プラントに設置する場合には、湿式ガス状物質処理装置のサイズを大きくしたものを用いるようにすればよい。飲食店などの店舗に設置する場合には、調理に伴い生じる排煙などを効果的に分離除去することができる。また、湿式ガス状物質処理装置のサイズを小さくすれば、飲食店でも或いは工場や施設でも、卓上に置いて卓上用としての使用も可能である。このように、本発明の湿式ガス状物質処理装置は、排煙や排ガスが生じる様々な場所に設置することで、浄化処理を行うことが可能である。
【００５８】
なお、本発明は上記実施形態に限定されるものではない。上記形態は例示であり、本発の特許請求の範囲に記載された技術的思想と実質的に同一な構成を有し、かつ同様な作用効果を奏するものは、いかなるものであっても本発明の技術的範囲に包含される。
【符号の説明】
【００５９】
１０：湿式ガス状物質処理装置、１２：処理室、１４：ガス状物質吸入口、１６：ガス状物質排出口、１８：貯水槽、２０：垂設仕切板、２２：波状多孔質奔流発生板、２４ａ，２４ｂ，２４ｃ：多孔質邪魔板、２６：傾斜規制板、２８：湿式ガス状物質処理機構、３０：壁面、３２：油分通路、３４：支持プレート、３６：油水分離回収機構、３８：電動送風機、４０：吸引口、４２：モータ、４４：脱臭装置、４６：第一脱臭装置、４８：第二脱臭装置、５０：過熱防止用サーモスタット、５２：自動給水弁、５４：排水弁、５６：油水回収機構、５７：回収槽、５８：油水分離機構、６０：送出パイプ、６２：貯水部、６４：油水分離槽、６６：送出パイプ屈曲部、６８ａ，６８ｂ：側壁、７０：上部仕切壁、７２：分離水分、７４：分離油分、７６：分離水分貯留部、７８：分離油分貯留部、８０：水分出口、８２：油分出口、８４：蓋体、８６：オーバーフロー管、８８：オーバーフロー管屈曲部、９０：キャスター、９２：水滴、９４：油浮上ゾーン、Ｇ：ガス状物質、ＯＷ：油水、Ｏ：油分、Ｔ１，Ｔ２，Ｔ３：水位、Ｗ：水分。
【図１】
2020075214.tif 000003
【図２】
2020075214.tif 000004
【図３】
2020075214.tif 000005
【図４】
2020075214.tif 000006
【図５】
2020075214.tif 000007
【図６】
2020075214.tif 000008
【図７】
2020075214.tif 000009